(57)【要約】【課題】３つのカットアウトの間隔がどのような間隔であっても、欠相状態となることがないように蓋体の開閉操作が行える箱型カットアウトの操作工具を提供する。【解決手段】カットアウト本体１０と、ヒューズを保持する開閉自在な蓋体１２とを有し、蓋体１２には、開閉操作するための被係止部１９を備え、一次側の三相高圧線から二次側へ電力を投入又は解除すべく、３つの箱型カットアウト各々の蓋体１２の被係止部１９に係止して蓋体を開閉操作するための箱型カットアウトの操作工具であって、３つの係止部２７，２７，２７のうちの少なくとも１つの係止部２７が、取付部２８に対する並列方向の取付位置が変更自在に設けられている。【選択図】図３
2016152760.tif 000002
【特許請求の範囲】
【請求項１】
カットアウト本体と、ヒューズを保持し前記カットアウト本体の開口を覆う開閉自在な蓋体とを有し、該蓋体には、開閉操作するための被係止部を備え、一次側の三相高圧線から二次側へ電力を投入又は解除すべく、前記三相高圧線の各相の高圧線に配置された３つの箱型カットアウト各々の蓋体の被係止部に係止して該蓋体を開閉操作するための箱型カットアウトの操作工具であって、
前記各箱型カットアウトの蓋体の被係止部に係止可能な３つの係止部と、該３つの係止部が、前記３つの箱型カットアウトの配置に対応した配置となるよう、所定間隔を空けて並列に取り付けられる取付部とを備え、前記３つの係止部のうちの少なくとも１つの係止部が、前記取付部に対する並列方向の取付位置が変更自在に設けられていることを特徴とする箱型カットアウトの操作工具。
【請求項２】
前記少なくとも２つの係止部が、前記取付部における並列方向の取付位置が変更自在に設けられ、前記取付部には、並列方向に沿って延びる取付孔が形成され、前記２つの係止部が、前記被係止部に係止する係止部本体と、該係止部本体に設けられ前記取付孔に挿入可能な軸部とを備え、前記取付孔に対する前記軸部の並列方向における挿入位置が変更可能に構成されていることを特徴とする請求項１に記載の箱型カットアウトの操作工具。
【請求項３】
前記取付部は、並列方向に沿った軸線を軸芯にした棒状体であり、該軸線周りに回動可能でかつ所定の回動位置で固定可能に構成されていることを特徴とする請求項１又は請求項２に記載の箱型カットアウトの操作工具。
【発明の詳細な説明】
【技術分野】
【０００１】
本発明は、カットアウト本体に対して蓋体を開閉操作するための箱型カットアウトの操作工具に関する。
【背景技術】
【０００２】
近年、住宅の電化が進むとともに、インターネット等の普及により、電力系統の大型化及び多岐化が図られている。そのため、電力供給各社では、電力設備工事において電力の安定供給が行えるように瞬時の切り替えを可能とする工法が模索されている。
【０００３】
現在、高圧配電線に、三相を同時に入り切り可能な開閉装置として手動開閉器が用いられているが、コスト削減の観点から、手動開閉器に代えて３つの箱型カットアウトが採用され始めている。これら箱型カットアウトは、カットアウト本体と、ヒューズを保持しカットアウト本体の開口を覆う開閉自在な蓋体とを有し、蓋体には、開閉操作するための被係止部を備えている。そして、これら３つの箱型カットアウトを開閉するには、各箱型カットアウトの蓋体に形成している被係止孔に間接活線把持具の先端の係止部を係止し、その係止状態で間接活線把持具を引いたり、押したりすることによって、蓋体をカットアウト本体に対して開閉操作することが行われている。前記係止部は、カットアウトの形成幅とほぼ一致する長さの横棒からなり、この横棒が、間接活線把持具の先端に併設された６本のアームの先端に貫通して支持されている（例えば、特許文献１参照）。
【先行技術文献】
【特許文献】
【０００４】
【特許文献１】特開２００６−１８５６８９号公報（図１、図２参照）
【発明の概要】
【発明が解決しようとする課題】
【０００５】
ところで、３つの箱型カットアウトの間隔は一定ではない。そのため、箱型カットアウトの形成幅も一定ではない。従って、特許文献１の箱型カットアウトの形成幅とほぼ一致する長さの横棒を３つのカットアウトに係止することができない不都合がある。よって、３つの箱型カットアウトを同時に開閉することができないため、カットアウトを１つずつ開閉しなければならない。その結果、一次的に欠相状態が発生してしまい、電力が供給される二次側の電子機器を損傷する虞があり、早期改善が望まれている。
【０００６】
そこで、本発明は、３つのカットアウトの間隔がどのような間隔であっても、欠相状態となることがないように蓋体の開閉操作が行える箱型カットアウトの操作工具を提供することを課題とする。
【課題を解決するための手段】
【０００７】
本発明に係る箱型カットアウトの操作工具は、カットアウト本体と、ヒューズを保持し前記カットアウト本体の開口を覆う開閉自在な蓋体とを有し、該蓋体には、開閉操作するための被係止部を備え、一次側の三相高圧線から二次側へ電力を投入又は解除すべく、前記三相高圧線の各相の高圧線に配置された３つの箱型カットアウト各々の蓋体の被係止部に係止して該蓋体を開閉操作するための箱型カットアウトの操作工具であって、前記各箱型カットアウトの蓋体の被係止部に係止可能な３つの係止部と、該３つの係止部が、前記３つの箱型カットアウトの配置に対応した配置となるよう、所定間隔を空けて並列に取り付けられる取付部とを備え、前記３つの係止部のうちの少なくとも１つの係止部が、前記取付部に対する並列方向の取付位置が変更自在に設けられていることを特徴とする。
【０００８】
かかる構成によれば、３つの係止部の間隔と３つの箱型カットアウトの間隔とが異なっている場合には、少なくとも１つの係止部の取付部に対する並列方向の取付位置を変更することによって、３つの係止部の間隔と３つの箱型カットアウトの間隔とを一致させることが可能になる。従って、３つの係止部を、全ての箱型カットアウトの蓋体の被係止部に係止することができる。この係止状態で操作工具を引いたり、押したりすることによって、全ての蓋体をカットアウト本体に対して同時に開閉操作することができる。
【０００９】
また、本発明に係る箱型カットアウトの操作工具は、前記少なくとも２つの係止部が、前記取付部における並列方向の取付位置が変更自在に設けられ、前記取付部には、並列方向に沿って延びる取付孔が形成され、前記２つの係止部が、前記被係止部に係止する係止部本体と、該係止部本体に設けられ前記取付孔に挿入可能な軸部とを備え、前記取付孔に対する前記軸部の並列方向における挿入位置が変更可能に構成されていてもよい。
【００１０】
かかる構成によれば、少なくとも２つの係止部が、取付部における並列方向の取付位置が変更自在に設けられているので、１つの係止部が、取付部における並列方向の取付位置が変更自在に設けられている場合に比べて、３つの係止部の間隔と３つの箱型カットアウトの間隔とを一致させ易い。よって、３つの係止部を、全ての箱型カットアウトの蓋体の被係止部により一層確実に係止することができる。また、取付孔に対する前記軸部の挿入位置を変更するたけで、取付孔に対する２つの係止部の角度を共通（同一）角度に維持できながらも、取付孔に対する２つの係止部の並列方向における位置を変更できる。
【００１１】
また、本発明に係る箱型カットアウトの操作工具は、前記取付部が、並列方向に沿った軸線を軸芯にした棒状体であり、該軸線周りに回動可能でかつ所定の回動位置で固定可能に構成されていてもよい。
【００１２】
かかる構成によれば、３つの係止部が、３つの箱型カットアウトの蓋体の被係止部に係止し難い方向を向いている場合には、取付部を所定の回動位置に変更することによって、３つの係止部が３つの箱型カットアウトの蓋体の被係止部に係止し易い方向へ変更することができ、係止作業を容易迅速に行うことができる。
【発明の効果】
【００１３】
以上のように、本発明によれば、３つの係止部のうちの少なくとも１つの係止部が、取付部に対する並列方向の取付位置が変更自在に設けられることによって、３つのカットアウトの間隔がどのような間隔であっても、欠相状態となることがないように蓋体の開閉操作が行える箱型カットアウトの操作工具を提供することができる。
【図面の簡単な説明】
【００１４】
【図１】柱上変圧器に接続された箱型カットアウトを示す側面図である。
【図２】箱型カットアウトの一部断面にした側面図である。
【図３】３つの箱型カットアウトの蓋体を操作具にて開放状態にする直前の状態を示す正面図である。
【図４】操作具の先端部の分解斜視図である。
【図５】図３におけるＡ−Ａ線断面図である。
【図６】（ａ）は別の形態の操作具の一部を省略した斜視図、（ｂ）は図６の（ａ）で示した固定手段の取付部分の断面図である。
【発明を実施するための形態】
【００１５】
図１に、一次側が三相高圧線の一相の高圧線１に接続され（他の二相も同様に接続される）、二次側が柱上変圧器２の一次側に電線３を介して接続された箱型カットアウト４（図１では１つのみ）を示している。柱上変圧器２の二次側は、電線５により電力需要者宅（図示せず）に接続される。箱型カットアウト４は、電力需要者宅の負荷（消費電力）が大きくなったときに、柱上変圧器２の一次側に過電流が流れることを防止するために設けられる。
【００１６】
図１では、箱型カットアウト４は、柱上変圧器２とほぼ同じ高さで、柱上変圧器２の近傍に設置されている。箱型カットアウト４は、図３に示すように、３つの箱型カットアウト４Ａ，４Ｂ，４Ｃを備え、腕金６の先端部に固定された横材７の長手方向に沿って所定間隔を置いてブラケット８（図２参照）を介して取り付けられている。また、柱上変圧器２は、電柱９の上部に設けられる。各箱型カットアウト４は、カットアウト本体１０と、ヒューズを収容したヒューズ筒１１を保持し、かつ、カットアウト本体１０の開口を覆う開閉自在な蓋体１２とを有する。
【００１７】
カットアウト本体１０は、絶縁材料でなる磁器で構成され、一方側の側面が開放されている箱型形状に構成されている。また、カットアウト本体１０は、下端側ほど電柱に近づくように傾斜する傾斜姿勢となるようにブラケット８を介して取り付けられている。また、カットアウト本体１０の上部には、高圧線１が接続される一次側（電源側）接続部１３を備え、カットアウト本体１０の下部には、一端が需要者宅に接続される電線３の他端が接続される二次側接続部１４を備えている。
【００１８】
図２に示すように、蓋体１２は、カットアウト本体１０の下端部に左右幅方向に沿う軸１５のＸ軸回りに回動して開閉自在に構成されている。また、蓋体１２の内側には、蓋体１２を閉じた状態において、一次側（電源側）接続部１３に接続する第１接続刃１６と、二次側接続部１４に接続する第２接続刃１７とを備えている。蓋体１２の表面の上部には、外側に突出する突出部１８を備え、その突出部１８に後述する操作工具２０の係止部２７を係止する（引っ掛ける）ための被係止部としての被係止孔１９が形成されている。従って、被係止孔１９に操作工具２０の係止部２７を係止した状態において、操作工具２０を引っ張る又は押し上げることによって、蓋体１２をカットアウト本体１０に対して開放した開放状態（図２の２点鎖線参照）と、蓋体１２をカットアウト本体１０の開口を閉じる閉塞状態（図２の実線参照）とに切り替えることができる。蓋体１２の開放状態では、一次側（電源側）接続部１３と第１接続刃１６との接続が解除されると同時に、二次側接続部１４と第２接続刃１７との接続が解除されて、一次側からの電力が遮断された状態になる。また、蓋体１２の閉塞状態では、一次側（電源側）接続部１３と第１接続刃１６との接続がなされると同時に、二次側接続部１４と第２接続刃１７との接続がなされて、一次側からの電力を二次側へ供給可能な状態になる。尚、３つの箱型カットアウト４Ａ，４Ｂ，４Ｃは、同一傾斜角度で設置され、全ての蓋体１２，１２，１２が開放された状態では全ての蓋体１２，１２，１２が同一角度（図２の角度参照）となるように構成されている。
【００１９】
次に、３つの箱型カットアウト４Ａ，４Ｂ，４Ｃの蓋体１２，１２，１２を開閉操作するための操作工具について説明する。
【００２０】
図３〜図５に示すように、操作工具２０は、操作棒２１と、操作棒２１の先端に着脱自在に取り付けられる先端工具２２とから構成されている。
【００２１】
操作棒２１は、絶縁材料を用いて細長い棒状に構成された操作棒本体２３と、操作棒本体２３の先端に、先端工具２２を接続するための接続解除自在なツイストロック式の固定部２４とを備えている。
【００２２】
固定部２４は、従来と同様であり、後述する先端工具２２の円筒部４２の切欠部４２Ｋに係止して先端工具２２を固定するための一対の係止ピン２５，２５と、係止ピン２５，２５で係止固定された先端工具２２の係止解除を阻止するための回転式で円環状のロック部材２６とを備えている。係止ピン２５，２５は、周方向に所定間隔を置いて径方向外方に突出している。尚、図３では、一方の係止ピン２５のみ図示している。
【００２３】
先端工具２２は、３つの蓋体１２，１２，１２の被係止孔１９，１９，１９に係止する同一形状で同一の大きさに構成された３つの係止部２７，２７，２７と、３つの係止部２７，２７，２７が所定間隔を空けて並列に取り付けられる断面がほぼ円形で横長状に構成された取付部２８と、各係止部２７を取付部２８に固定するための固定部２９と、取付部２８の中間部に取り付けられ操作棒２１に接続される接続部３０とを備えている。
【００２４】
３つの係止部２７，２７，２７は、３つの箱型カットアウト４Ａ，４Ｂ，４Ｃの配置に対応した配置になるよう、取付部２８に取り付けられる。また、各係止部２７は、金属製又は合成樹脂製で形成され、蓋体１２の被係止部１９に係止する係止部本体と、係止部本体に設けられ後述する取付孔３９に挿入可能な軸部とを備える。係止部本体は、上方に延びる棒状部２７Ａと、棒状部２７Ａの上端から横方向に突出する横向きの係止突起２７Ｂとを備える。棒状部２７Ａは、上方に向かうほど先細り形状になっているが、上下方向において同一径に構成してもよい。係止突起２７Ｂは、先端に向かうほど先細りとなっている先細り部２７ｂと、先細り部２７ｂの先端部に備えた球状部２７ｃとから構成されているが、球状部２７ｃがない先細り部２７ｂから構成してもよいし、先細りではなく基端から先端まで同一径の係止突起であってもよい。
【００２５】
また、棒状部２７Ａの下端には、取付部２８の上端面（外周面）に当て付けられる円弧状で板状の当接部２７Ｄを備えている。そして、当接部２７Ｄの下端から下方に延びるとともに取付部２８に上方から挿入される前記軸部である螺子部２７Ｅを備えている。尚、当接部２７Ｄの下面には、螺子部２７Ｅを当接部２７Ｄに安定よく保持するためのボス部２７Ｆを備えている。
【００２６】
固定部２９は、各係止部２７に対応するよう３つ設けられている。各固定部２９は、取付部２８の下端に当て付けられ螺子部２７Ｅが挿入可能な貫通孔（図示せず）が形成された円弧状で板状の当接部３１と、当接部３１を挿通して取付部２８の下端から下方に突出した螺子部２７Ｅの下端に挿通されるリング状の座金３２（図５のみ図示し、図４では省略している）と、該螺子部２７Ｅの下端に螺合することによって係止部２７を取付部２８に挿入した状態で固定するための蝶ナット３３とを備えている。当接部３１の上端には、螺子部２７Ｅがガタつくことがないようにボス部３１Ｂが設けられている。
【００２７】
取付部２８は、係止部２７の並列方向に沿った軸線を軸心にした棒状体３４からなり、この棒状体３４に並列方向（長手方向）に沿って延びる取付孔３９が形成されている。また、棒状体３４の両端には、キャップ部３５，３６が外嵌され、棒状体３４の長手方向中間部には、取付孔３９を並列方向で区画するリング状部材３７，３８を備えている。また、棒状体３４の取付孔３９は、互いに対向する縦向きのフラット面３４Ａ，３４Ａを有している。このように形成された取付孔３９のうちの、例えば一方端のキャップ部３５とこれに近い側の第１リング状部材３７との間に位置する取付孔３９に１つ目の係止部２７の螺子部２７Ｅを挿入し、取付孔３９内で位置決めを行った後、固定部２９で固定することができる。同様に残る２つ目の係止部２７の螺子部２７Ｅを、他方側のキャップ部３６とこれに近い側の第２リング状部材３８との間に位置する取付孔３９に挿入し、長孔３９内で位置決めを行った後、固定部２９で固定することができる。また、同様に残る３つ目の係止部２７の螺子部２７Ｅを、第１リング状部材３７と第２リング状部材３８との間に位置する取付孔３９に挿入し、取付孔３９内で位置決めを行った後、固定部２９で固定することができる。ここでは、１つの連続する長孔が形成された１本の棒状体３４から構成しているが、長孔が並列方向（長手方向）で複数個形成された一本の棒状体から構成して実施することもできる。
【００２８】
接続部３０は、取付部２８に外嵌されて接着剤又は図示していないビスにより固定される円筒状の基部４０と、基部４０の表面から下方に延びる円筒状の首部４１と、首部４１の下端に設けられ操作棒２１の先端（図３では上端）が挿入されて一方の係止ピン２５を挿通案内した後係止固定するための切欠部４２Ｋが形成された下端開放型の円筒部４２とを備えている。尚、図示していないが、円筒部４２には、他方の係止ピン２５を挿通案内した後係止固定するためのもう一つの切欠部（図示せず）を備えている。従って、操作棒２１の先端を円筒部４２に挿入した状態から操作棒２１を回転させることによって、係止ピン２５，２５が切欠部４２Ｋ，４２Ｋに係止して操作棒２１が接続部３０に固定される（図３参照）。
【００２９】
上記のように構成された先端工具２２が装着された操作工具２０を用いて、３つの箱型カットアウト４Ａ，４Ｂ，４Ｃの蓋体１２，１２，１２を開放状態に同時に切り替える場合について説明する。
【００３０】
まず、操作工具２０を３つの箱型カットアウト４Ａ，４Ｂ，４Ｃ付近に移動させる（図３参照）。この状態において、操作工具２０を図３において上方へ移動させて３つの係止部２７，２７，２７を３つの箱型カットアウト４Ａ，４Ｂ，４Ｃの蓋体１２，１２，１２の被係止孔１９，１９，１９の横に位置させる（２点鎖線で示す矢印の位置に位置させる）。この状態から操作工具２０を横方向（図３において左から右側）に移動することによって、３つの係止部２７，２７，２７が３つの箱型カットアウト４Ａ，４Ｂ，４Ｃの蓋体１２，１２，１２の被係止孔１９，１９，１９に挿通して係止状態となる。この状態において操作工具２０を下方側へ引っ張り操作することによって、３つの蓋体１２，１２，１２を同時（一挙）に開放状態にすることができる（図２では、１つの蓋体１２が２点鎖線で示す開放状態になっている）。前記のように横方向から各係止部２７を各被係止孔１９に係止させる構成であるため、操作工具２０を横方向と直交する下方へ引っ張っても、係止部２７が被係止孔１９から外れるといったことがない。尚、図３では、図１で示した高圧線１及び電線３は、省略している。
【００３１】
また、開放状態になっている３つの箱型カットアウト４Ａ，４Ｂ，４Ｃの蓋体１２，１２，１２を閉塞状態にするには、前記と同様に、操作工具２０の３つの係止部２７，２７，２７が３つの箱型カットアウト４Ａ，４Ｂ，４Ｃの蓋体１２，１２，１２の被係止孔１９，１９，１９の横に位置するように操作工具２０を移動させる。この状態から操作工具２０を横に移動することによって、３つの係止部２７，２７，２７が３つの箱型カットアウト４Ａ，４Ｂ，４Ｃの蓋体１２，１２，１２の被係止孔１９，１９，１９に挿入して係止状態となる。この状態において操作工具２０を上方へ押し上げることによって、３つの蓋体１２，１２，１２を一挙に閉塞状態にすることができる（図２では、１つの蓋体１２が実線で示す閉塞状態になっている）。
【００３２】
前述のように、係止部２７，２７，２７が、取付部２８における並列方向の取付位置が変更自在に構成されているので、例えば図３に示すように、左側の箱型カットアウト４Ａと中央の箱型カットアウト４Ｂとの間隔と、右側の箱型カットアウト４Ｃと中央の箱型カットアウト４Ｂとの間隔とが異なっている場合であっても、左側の係止部２７の取付位置を並列方向に変更することによって、隣り合う係止部同士の間隔を、隣り合う箱型カットアウトの間隔に対応させて一致させることができる。
【００３３】
また、取付部２８の取付孔３９に対する３つ係止部２７の螺子部（軸部）２７Ｅの挿入位置を変更するたけで、取付孔３９に対する３つの係止部２７の角度を共通（同一）角度に維持できながらも、取付孔３９に対する３つの係止部２７，２７，２７の並列方向における位置を変更できる。
【００３４】
なお、本発明に係る間接活線工具に用いるアダプタは、上記実施形態に限定されるものではなく、本発明の要旨を逸脱しない範囲内において、種々変更することができる。
【００３５】
例えば、図６（ａ），（ｂ）に示すように、接続部３０に対して取付部２８が軸線Ｘ１周りで回動可能でかつ所定の回動位置で固定する固定手段４３を備えて実施することもできる。このように構成することによって、取付部２８に対する係止部２７の周方向における位置を変更する（図６（ｂ）の実線から２点鎖線に変更する）ことによって、箱型カットアウト４の蓋体１２，１２，１２の被係止孔１９，１９，１９に対する係止部２７，２７，２７の係止方向を変更することができる。これによって、箱型カットアウト４Ａ，４Ｂ，４Ｃの被係止孔１９，１９，１９に係止部２７，２７，２７が入り難い場合でも、取付部２８に対する係止部２７，２７，２７の周方向における位置を変更して被係止孔１９，１９，１９に係止部２７，２７，２７が入り易くすることができる。固定手段４３は、ハンドル付のボルト４４と、基部４０に形成されたボルト４４が挿通する貫通孔４０Ａと、外面に固着されボルト４４に螺合してボルト４４を保持するナット４５とからなっている。従って、ボルト４４をナット４５にねじ込んでいくことによって、ボルト４４の先端が棒状体３４の外面に食い込むことによって、接続部３０に対して取付部２８を回転不能に固定でき、この状態からボルト４４を緩めることによって取付部２８を接続部３０に対して回転可能にすることができる。
【００３６】
また、上記実施形態では、３つの係止部２７，２７，２７を、箱型カットアウト４Ａ，４Ｂ，４Ｃの並列方向における位置が変更可能に設けられていたが、１つの係止部のみ位置変更可能に設けてもよいし、２つの係止部のみ位置変更可能に設けてもよい。また、３つの係止部２７，２７，２７を、箱型カットアウト４Ａ，４Ｂ，４Ｃの並列方向における位置が変更不能に固定されている構成であってもよい。
【００３７】
また、上記実施形態では、箱型カットアウト４Ａ，４Ｂ，４Ｃを斜め姿勢になるように取り付けたが、水平姿勢で取り付けてもよい。
【００３８】
また、上記実施形態では、取付部２８を、取付孔３９が形成された棒状体３４から構成したが、例えば断面がほぼ半円状の一対の柱状体を所定間隔を空けて配置することによって、柱状体間に取付孔が形成されるように構成してもよい。
【符号の説明】
【００３９】
１…高圧線、２…柱上変圧器、３…電線、４，４Ａ，４Ｂ，４Ｃ…箱型カットアウト、５…電線、６…腕金、７…横材、８…ブラケット、９…電柱、１０…カットアウト本体、１１…ヒューズ筒、１２…蓋体、１３…接続部、１４…二次側接続部、１５…軸、１６…接続刃、１７…接続刃、１８…突出部、１９…被係止孔（被係止部）、２０…操作工具、２１…操作棒、２２…先端工具、２３…操作棒本体、２４…固定部、２５…係止ピン、２５，２５…係止ピン、２６…ロック部材、２７…係止部、２７Ａ…棒状部、２７Ｂ…係止突起、２７Ｄ…当接部、２７Ｅ…螺子部（軸部）、２７Ｆ…ボス部、２７ｂ…先細り部、２７ｃ…球状部、２８…取付部、２９…固定部、３０…接続部、３１…当接部、３１Ｂ…ボス部、３２…座金、３３…蝶ナット、３４…棒状体、３４Ａ…フラット面、３４Ｋ…孔、３５，３６…キャップ部、３７，３８…リング状部材、３９…取付孔、４０…基部、４０Ａ…孔、４１…首部、４２…円筒部、４２Ｋ…切欠部、４３…固定手段、４４…ボルト、４５…ナット、Ｘ，Ｘ１…軸
【図１】
2016152760.tif 000003
【図２】
2016152760.tif 000004
【図３】
2016152760.tif 000005
【図４】
2016152760.tif 000006
【図５】
2016152760.tif 000007
【図６】
2016152760.tif 000008